(57)【要約】【課題】回路要素の数が効果的に減らされるようなＬＥＤドライバを備えること。【解決手段】ＬＥＤドライバは、ＬＥＤの第１のセットとＬＥＤの第２セットを駆動する。ＬＥＤドライバは、インダクタ、メインスイッチ、第１のスイッチ、第２のスイッチとコントローラを含む。インダクタは、入力電圧を受けている第１の端子を備えている。メインスイッチは、インダクタの第２の端子と共通のレベルの間で結合され、流れている電流を調節する。第１のスイッチは、ＬＥＤの第１セットとインダクタの第２の端子の間で結合される。第２のスイッチは、第２のＬＥＤとインダクタの第２の端子の間で結合される。コントローラは、それぞれメインスイッチ、第１のスイッチ、第２のスイッチの導電状態を制御するために、それぞれメインスイッチ、第１のスイッチ、第２のスイッチの制御端子に結合される。【選択図】図２
2008118089.tif 000002
【特許請求の範囲】
【請求項１】
ＬＥＤの第１のセットとＬＥＤの第２セットを駆動するＬＥＤドライバであって、
入力電圧を受ける第１の端子を備えるインダクタと、
インダクタの第２の端子に結合する第１の端子と共通レベルに結合する第２の端子を備え、インダクタの電流を調節するメインスイッチと、
ＬＥＤの第１セットに結合する第１の端子とインダクタの第２の端子に結合する第２の端子を備える第１のスイッチと、
ＬＥＤの第２セットに結合する第１の端子とインダクタの第２の端子に結合する第２の端子を備える第２のスイッチと、
メインスイッチ、第１のスイッチ、および第２のスイッチの制御端子にそれぞれ結合し、導電状態を制御するコントローラと、
を備えるＬＥＤドライバ。
【請求項２】
ＬＥＤの第１セットとコントローラに結合する第１の端子と、共通レベルに結合する第２の端子を備える第１のフィードバック回路と、
ＬＥＤの第２セットとコントローラに結合する第１の端子と、共通レベルに結合する第２の端子を備える第２のフィードバック回路とを備え、
前記コントローラは、第１のフィードバック回路と第２のフィードバック回路の第１の端子の電圧にそれぞれしたがって、第１のスイッチと第２のスイッチのデューティサイクルをそれぞれ制御する、請求項１に記載のＬＥＤドライバ。
【請求項３】
前記共通レベルは接地レベルであり、メインスイッチは、Ｎ型トランジスタである請求項１に記載のＬＥＤドライバ。
【請求項４】
第１のスイッチの第１の端子と共通レベルの間で結合する第１の電圧安定化回路と、
第２のスイッチの第１の端子と共通レベルの間で結合する第２の電圧安定化回路と、
を備える請求項１に記載のＬＥＤドライバ。
【請求項５】
ＬＥＤの第１セットとＬＥＤの第２セットが、異なる色の光を発する請求項１に記載のＬＥＤドライバ。
【請求項６】
ＬＥＤの第３のセットに結合する第１の端子と、インダクタの第２の端子に結合する第２の端子と、コントローラに結合する制御端子とを有する第３のスイッチをさらに備え、
前記コントローラは、前記第３のスイッチのデューティサイクルを制御する請求項１に記載のＬＥＤドライバ。
【請求項７】
ＬＥＤの第１セット、ＬＥＤの第２セット、ＬＥＤの第３セットは、赤色光、緑色光、青色光をそれぞれ発する請求項６に記載のＬＥＤドライバ。
【請求項８】
ＬＥＤの第１のセットと、
ＬＥＤの第２のセットと、
入力電圧を受ける第１の端子を備えるインダクタと、
インダクタの第２の端子に結合する第１の端子と、共通レベルに結合する第２の端子とを備え、インダクタの電流を調節するメインスイッチと、
ＬＥＤの第１セットに結合する第１の端子と、インダクタの第２の端子に結合する第２の端子を備える第１のスイッチと、
ＬＥＤの第２セットに結合される第１の端子と、インダクタの第２の端子に結合する第２の端子とを備える第２のスイッチと、
メインスイッチ、第１のスイッチ、第２のスイッチの制御端子に結合され、それぞれの導電状態を制御するコントローラと
を有するバックライトモジュールを備えるディスプレイ装置。
【請求項９】
ＬＥＤの第１セットとコントローラに結合される第１の端子と、共通レベルに結合する第２の端子を備える第１のフィードバック回路と、
ＬＥＤの第２セットとコントローラに結合される第１の端子と、共通レベルに結合する第２の端子を備える第２のフィードバック回路とをさらに備え、
前記コントローラは、第１のフィードバック回路と第２のフィードバック回路の第１の端子の電圧にそれぞれしたがって、第１のスイッチと第２のスイッチのデューティサイクルをそれぞれ制御する請求項８に記載のディスプレイ装置。
【請求項１０】
前記共通レベルは接地レベルであり、メインスイッチは、Ｎ型トランジスタである請求項８に記載のディスプレイ装置。
【請求項１１】
第１のスイッチの第１の端子と共通レベルの間で結合される第１の電圧安定化回路と、
第２のスイッチの第１の端子と共通レベルの間で結合される第２の電圧安定化回路と、
をさらに備える請求項８に記載のディスプレイ装置。
【請求項１２】
ＬＥＤの第１セットとＬＥＤの第２セットが、異なる色の光を発する請求項８に記載のディスプレイ装置。
【請求項１３】
ＬＥＤの第３のセットに結合する第１の端子と、インダクタの第２の端子に結合する第２の端子と、コントローラに結合する制御端子を有する第３のスイッチをさらに備え、
前記コントローラは、前記第３のスイッチのデューティサイクルを制御する請求項８に記載のＬＥＤドライバ。
【請求項１４】
ＬＥＤの第１セット、ＬＥＤの第２セット、ＬＥＤの第３セットは、赤色光、緑色光、青色光をそれぞれ発する請求項１３に記載のＬＥＤドライバ。
【発明の詳細な説明】
【技術分野】
【０００１】
本発明はディスプレイドライバに関し、特に発光ダイオード（ＬＥＤ）ドライバ、これを使用しているディスプレイ装置に関する。
【背景技術】
【０００２】
近年では、多くの電子製品は、ディスプレイを備えている。ディスプレイとしては、例えば携帯電話、パーソナル携帯情報機器（ＰＤＡ）、デジタル音楽プレーヤー、自動車計器パネルがある。ディスプレイの型とサイズは、通常彼らの実用的なアプリケーションによって設計される。しかし、液晶ディスプレイ（ＬＣＤ）を含むほとんどすべてのディスプレイは、バックライトモジュールにバックライト照明を備えることが必要である。したがって、表示されるパターンと文字をユーザーが見ることができるようなディスプレイのための照明回路を、設計者は設計しなければならない。ＬＥＤは、照明装置として現在の電子製品でしばしば採用される。色彩に富んだＬＣＤに均一なバックライトを備えるには、通常、３、４またはそれ以上のＬＥＤが必要とされる。また、計器パネルにバックライトを備えるには、６つ以上のＬＥＤが必要である。ＬＥＤの需要が増加するにつれて、ＬＥＤドライバの市場は大幅に増加する。
【０００３】
図１は、従来の装置の回路である。図１を参照すると、従来の装置は、バックライトモジュール１００を使用する。バックライトモジュール１００は、それぞれ赤、緑、青のＬＥＤセット１１３、１２３、１３３を含んでいるＬＥＤドライバ１１０、１２０、１３０を含む。図１に示すように、ＬＥＤドライバ１１０、１２０、１３０のそれぞれのための回路は全て、従来のブースト回路である。ＬＥＤセット１１３、１２３、１３３の各々は、同じ色のＬＥＤを直列接続したものである。言い換えると、コントローラ１１７を使用して、１つのスイッチ１１２と１つのフィードバック回路１１５だけからなるループを制御することができる。したがって、ＬＥＤドライバ１１０のブースティングは、単一のループだけを駆動して、単一のＬＥＤセット１１３を制御することによって実現することができる。
【０００４】
前記の３つのＬＥＤドライバ１１０、１２０と１３０は、同じ回路構造を備えている。３つのＬＥＤドライバ１１０、１２０と１３０の各々は、入力電圧ＶＩを独立して調節することができ、それにより、それぞれの対応するＬＥＤ１１３、１２３、１３３に、独立した調整電流を与えている。たとえば、ＬＥＤドライバ１１０は、コントローラ１１７、メインスイッチ１１６、インダクタ１１１、スイッチ１１２、フィードバック回路１１５、電圧安定化回路１１４からなる。
【０００５】
１つのＬＥＤドライバは、１つのＬＥＤセットだけを駆動することができるので、３つの異なる色のＬＥＤセットを駆動することが必要なとき、３つのＬＥＤセットで３つのＬＥＤドライバが必要になる。異なる色のＬＥＤセットには、異なる電圧低下が必要である。そのために、インダクタ１１１、１２１、１３１のインダクタンスをそれぞれ選ぶ。
【０００６】
したがって、従来の装置では、各々のＬＥＤセットを駆動するための１つの独立したＬＥＤドライバが必要となる。このように、単純であるけれども、そのような従来の装置はＬＥＤドライバを備えている。このＬＥＤドライバの領域は、ＬＥＤセットが増加するにつれて比例して増加する。
【発明の開示】
【発明が解決しようとする課題】
【０００７】
すなわち、ＬＥＤドライバの従来技術の問題点は、単一のループしか制御することができず、したがって各々のＬＥＤセットは、個々に設計されたＬＥＤドライバを必要とする、ということである。そのような従来の技術では、回路のために比較的大きな領域を必要とする。したがって、ＬＥＤドライバを備えている製品を設計するときに考えられる問題として、次のことが挙げられる。すなわち、回路面積が大きいことで、製品がよりかさばり、より多くのＬＥＤドライバを使用することで、製造コストが増加するということである。したがって、従来の技術では、残念なことに、あまりにたくさんの回路の領域を占めるほどの、あまりにたくさんの回路要素を必要とする。このように、回路基板は、非常に複雑になる。かさばることも考えると、そのようなＬＥＤドライバはアプリケーションにとって好ましくない。
【０００８】
したがって、本発明は、使用される回路要素の数が効果的に減らされるような、複数のＬＥＤセットを駆動可能なＬＥＤドライバを備えることを目的とする。
【０００９】
また、本発明は複数のＬＥＤセットを駆動するための要素を含むディスプレイ装置を備え、それによって、要素の使用効率を上げることも目的とする。
【課題を解決するための手段】
【００１０】
本発明は、少なくともＬＥＤの第１のセットとＬＥＤの第２セットを駆動するＬＥＤドライバを提供する。ＬＥＤドライバは、インダクタ、メインスイッチ、第１のスイッチ、第２のスイッチとコントローラを含む。インダクタは、入力電圧を受けるために、第１の端子を備えている。メインスイッチは、インダクタの中を流れている電流を調節するために、インダクタの第２の端子と共通の電圧レベルの間で結合される。第１のスイッチは、ＬＥＤの第１セットとインダクタの第２の端子の間で結合される。第２のスイッチは、ＬＥＤの第２セットとインダクタの第２の端子の間で結合される。コントローラは、メインスイッチ、第１のスイッチと第２のスイッチの制御端子にそれぞれ結合される。コントローラは、メインスイッチ、第１のスイッチ、第２のスイッチの導電状態をそれぞれ制御する。
【００１１】
本発明は、バックライトモジュールを含むディスプレイ装置も対象とする。バックライトモジュールは、第１のセットのＬＥＤ、第２セットのＬＥＤ、インダクタ、メインスイッチ、第１のスイッチ、第２のスイッチ、コントローラを含む。インダクタは、入力電圧を受けるために、第１の端子を備えている。メインスイッチは、インダクタの第２の端子と共通の電圧レベルの間で結合され、インダクタの中を流れている電流を調節する。第１のスイッチは、ＬＥＤの第１セットとインダクタの第２の端子の間で結合される。第２のスイッチは、ＬＥＤの第２セットとインダクタの第２の端子の間で結合される。コントローラは、メインスイッチ、第１のスイッチ、第２のスイッチの制御端子にそれぞれ結合される。コントローラは、メインスイッチ、第１のスイッチ、第２のスイッチの導電状態をそれぞれ制御する。
【００１２】
本発明の好ましい実施例によると、ＬＥＤドライバとこれを用いるディスプレイ装置は、第１のフィードバック回路と第２のフィードバック回路を更に含む。第１のフィードバック回路は、ＬＥＤの第１セットとコントローラに結合される第１の端子と共通の電圧レベルに結合される第２の端子を備えている。第２のフィードバック回路は、ＬＥＤの第２セットとコントローラに結合される第１の端子と共通の電圧レベルに結合される第２の端子を備えている。コントローラは、第１のフィードバック回路と第２のフィードバック回路の第１の端子のそれぞれの電圧にしたがって、第１のスイッチと第２のスイッチの導電時間をそれぞれコントロールする。
【００１３】
本発明の実施例によると、ＬＥＤドライバとこれを用いるディスプレイ装置に関連する共通の電圧レベルは接地であり、メインスイッチはＮ型トランジスタである。
【００１４】
本発明の好ましい実施例によると、ＬＥＤドライバとこれを用いるディスプレイ装置は、第１と第２の電圧安定化回路を更に含む。第１の電圧安定化回路は、第１のスイッチの第１の端子と共通の電圧レベルの間で結合される。第２の電圧安定化回路は、第２のスイッチの第１の端子と共通の電圧レベルの間で結合される。
【００１５】
本発明の好ましい実施例によると、ＬＥＤの第１セットとＬＥＤの第２セットは、異なる色である。
【００１６】
本発明の好ましい実施例によると、ＬＥＤドライバとこれを用いるディスプレイ装置は、第３のスイッチを更に含む。第３のスイッチは、ＬＥＤの第３のセットに結合される第１の端子と、インダクタの第２の端子に結合される第２の端子と、コントローラに結合される制御端子を備えている。コントローラは、第３のスイッチの導電状態を制御する。
【００１７】
本発明の好ましい実施例によると、ＬＥＤの第１、第２と第３セットは、それぞれ赤・緑・青の色である。
【発明の効果】
【００１８】
本発明は、駆動されるＬＥＤのセットの数に関係なく、１つのメインスイッチ、１つのインダクタと、１つのコントローラだけで済む。このように、本発明のＬＥＤドライバは、ディスプレイの費用と嵩張りを減らすことができるだけではなく、ＬＥＤドライバ回路の回路設計を単純化する。このように、ＬＥＤドライバは、携帯用の家電製品で使用される。
【発明を実施するための最良の形態】
【００１９】
ここで、本発明にかかる好ましい実施の形態をより詳細に参照し、その実施例を添付の図面で説明する。可能な限り、同一または同様の部分を説明するにあたり、図面および説明で同一の番号を用いる。
【００２０】
先に述べたように、従来のディスプレイ装置は、ＬＥＤセットを駆動するための、独立したＬＥＤドライバ回路を必要とする。ＬＥＤセットの量が増加するとき、ＬＥＤドライバに対応してより多くの数が必要である。このように、使用される多くの要素はこれにしたがって増加し、回路の要素は回路基板の上でより大きな領域を占める。本発明は、比較的より少ない回路要素を含むＬＥＤドライバを提供する。本発明のＬＥＤドライバについて、次の好ましい実施の形態に関連して、以下のように説明する。
【００２１】
図２は、本発明の実施例によるディスプレイ装置の回路図である。図２を参照すると、ディスプレイ装置はバックライトモジュール２００を含む。バックライトモジュール２００は、ＬＥＤドライバ２１０、ＬＥＤセット２２２、２３２を含む。ＬＥＤドライバ２１０は、インダクタ２１１、メインスイッチ２１３、スイッチ２２１、２３１、コントローラ２１２、電圧安定化回路２２３、２３３とフィードバック回路２２４、２３４を含む。
【００２２】
バックライトモジュール２００は、２つのＬＥＤセット２２２と２３２を含む。２つのＬＥＤセット２２２、２３２の両方は、同じ種類のＬＥＤ、あるいは２種類の異なるＬＥＤからを直列接続したものとしてもよい。例えば白色光ＬＥＤなどの同じ種類のＬＥＤを使用したものを、ディスプレイ装置用の白いバックライトモジュールとして使うことができる。異なる種類のＬＥＤを使うもの、または同じ種類を使うが直列接続されたＬＥＤの量がそれぞれ異なるものの場合、異なる駆動電圧が必要となる。したがって、ＬＥＤドライバ２１０のコントローラ２１２は２つの独立したループを制御する。すなわち、スイッチ２２１、２３１の異なる必要条件のブースト電圧の出力ループを制御する。
【００２３】
ＬＥＤセット２２２、２３２は、直列接続されたＬＥＤからなる。したがって、各々のＬＥＤを流れる電流の大きさは同じであり、したがって得られる輝度は均一である。本発明の実施例によると、ＬＥＤは互いに直列接続され、したがって、ＬＥＤの電圧降下は正方向に蓄積される。このように、ＬＥＤセット２２２、２３２はより高い電圧を駆動するのに必要とされる。さらに、ＬＥＤドライバ２１０を携帯用の電子装置に適用し、入力電圧ＶＩがバッテリーで提供される場合、バッテリーが回路に接続している時点から、バッテリーの電力が使い果たされるまで、入力電圧は減少する。したがって、ＬＥＤドライバ２１０は、直流を直流に変える方法によって、電圧を高める。
【００２４】
ＬＥＤセット２２２および２３２はインダクタ２１１を含む。これらの２つのＬＥＤセット２２２と２３２を駆動するために必要とされる電圧のうち、最大の電圧にしたがって、また定格出力電圧２１４と所定範囲の安全許容度を考慮して、インダクタ２１１を選ぶ。このように、入力電圧ＶＩに適切な広さの動作範囲を与えることによって、駆動する際に比較的高い効率を得ることができ、十分な絶縁と安全な電力が十分に保証される。
【００２５】
プログラム可能なコントローラ２１２は、ＬＥＤドライバ２１０で使用される。プログラム可能なコントローラ２１２は、時間をおいてあるいは順番にプログラムを設定して、ＬＥＤ２２２と２３２の２セットのうちの１つを調節し、閉ループ制御を実行する。言い換えると、２セットのＬＥＤ２２２と２３２があるが、コントローラ２１２は、それぞれの時に、そのうちの１つのみを実行する。電流を維持してＬＥＤセット２２２と２３２を調節するために、コントローラ２１２は、コントローラ２１２とフィードバック回路２２４の間のループ電圧２２５を交互にチェックし続けて、コントローラ２１２とフィードバック回路２３４の間のループ電圧２３５をチェックする。更にコントローラ２１２は、２つのＬＥＤセット２２２と２３２のうちの１つを制御する出力電圧２１４を調節して、メインスイッチ２１３とスイッチ２２１、２３１のデューティサイクルをプログラムを実行することにより制御する。このように、出力電流を調節する。
【００２６】
そのようなフィードバック制御を設計する際に、コントローラ２１２は、一つ以上の参照電圧をループ電圧２２５または２３５とエラー比較する。本実施の形態の場合のように、ＬＥＤセット２２２、２３２が、それぞれ異なる色、導電電圧、したがって異なる駆動電圧である場合、コントローラ２１２は、フィードバック回路２２４および２３４にそれぞれ一致する２つの異なる参照電圧を容易しなければならない。ループ電圧２２５が対応する参照電圧より小さい場合、エラーが増加するときに、コントローラ２１２は、エラーにしたがって対応するスイッチ２２１の導電デューティサイクルを調節し、それにより、より多くの電流を出力可能としている。
【００２７】
なお、１つの実施の形態だけをここに例示するが、上述の異なる色の駆動ＬＥＤセットについて説明すると、１つの参照電圧が提供されさえすれば、上記の効果を、フィードバック回路２３４と２２４を設計変更することによって得られることができることが、この技術で通常の知識を有するものであれば理解できるであろう。
【００２８】
コントローラ２１２は、高速でスイッチを切り替えるようにプログラムされる。コントローラ２１２は、メインスイッチ２１３のデューティサイクルを制御することにより、インダクタ２１１の中を流れている電流を調節する。それにより、電力を保存しておくように電圧を高める。メインスイッチ２１３を制御して電源をオフにするとき、押し上げられた後のインダクタ２１１の直流電流にしたがって、コントローラ２１２は、ＬＥＤセット２２２と２３２を駆動するのにふさわしいレベルの出力の電圧２１４を出力することができる。メインスイッチ２１３は、トランジスタと望ましくはＮチャンネル金属酸化物半導体電界効果トランジスタ（ＮＭＯＳ）とすることができる。コントローラ２１２は、スイッチ２２１と２３１のデューティサイクルを制御することにより、ＬＥＤセット２２２と２３２を流れている電流を調節し、それにより均一な輝度を得る。したがって、本発明によれば、コントローラ２１２は電圧を高める機能と、電流を調節する機能を組み合わせる。コントローラ２１２により、ＬＥＤドライバ２１０は、独立してＬＥＤセット２２２と２３２の電流を調節することができる。コントローラ２１２は、例えば、設計された電流の割合を変えることによって、スイッチ２２１と２３１のデューティサイクルを制御することができ、それにより輝度を調節する。
【００２９】
２つの具体的な回路保護設計が、ＬＥＤドライバ２１０のために提案される。第１は、対応して起こりうるＬＥＤセット２２２と２３２の開回路故障である。したがってＬＥＤドライバ２１０は、過負荷電圧保護機能が必要であり、したがって、ＬＥＤドライバ２１０は、電圧安定化回路２２３と２３３を更に含む。第２は、ＬＥＤドライバ２１０で最大の出力電圧２１４を制限するために、コントローラ２１２を使うことである。
【００３０】
ＬＥＤドライバ２１０が、ＬＥＤセットの各々に一定の電流を提供し、それにより発光させるとき、コントローラ２１２は、予め定められたブースティング電圧レベルが出力電圧２１４に達するまで入力電圧ＶＩを押し上げる。しかし、この時に、電圧安定化回路２２３と２３３を保護しない場合、過大な出力電圧２１４が、回路の要素に損害を与えることが多い。さらにまた、コントローラ２１２は、フィードバック回路２２４と２３４の各々の両方の端から測られる電圧にしたがって設計され、それにより最大の出力電圧２１４を制限し、損害を受けているＬＥＤドライバ２１０を保護する。
【００３１】
バックライト調整機能が必要なとき、ＬＥＤセット２２２を例とすると、ＬＥＤドライバ２１０のコントローラ２１２は、ＬＥＤセット２２２に完全な電流を提供し、デューティサイクルを短くしてバックライトを調節する。例えば、輝度の２５％を減らすために、完全な電流を供給するデューティサイクルを７５％にまで下げるか、またはデューティサイクルの５０％だけが必要である場合、輝度を半分まで下げる。
【００３２】
図３は、本発明の他の実施例によるディスプレイ装置の回路図である。ディスプレイ装置は、バックライトモジュール３００を含む。バックライトモジュール３００はＬＥＤドライバ３１０、そして、ＬＥＤセット２２２、２３２、３４２を含む。ＬＥＤドライバ３１０は、インダクタ３１１、メインスイッチ２１３、スイッチ２２１、２３１、３４１、コントローラ３１２、電圧安定化回路２２３、２３３、３４３と、フィードバック回路２２４、２３４と３４４を含む。
【００３３】
図３を参照して、図２のＬＥＤドライバ２１０と比較すると、ＬＥＤドライバ３１０のコントローラ３１２は、さらにもう１つのＬＥＤセット３４２を含む駆動回路である。コントローラ３１２は、３つのスイッチ２２１、２３１と３４１の直流出力電圧ループを含む３つの独立したループを制御する。したがって、コントローラ３１２は３つのＬＥＤセット２２２、２３２と３４２を駆動する。ＬＥＤセット２２２、２３２、３４２は、それぞれ、赤、緑、青の色であることが好ましい。そのような３つの色を、バックライト光源としてまたは他の目的のために、図３で示されるディスプレイ装置で使用することができる。
【００３４】
ＬＥＤセット２２２、２３２、３４２は、共通のインダクタ３１１を使うので、コントローラ３１２はインダクタ３１１を制御することにより、レベルを押し上げる３つの予め定められた電圧を持たせる。インダクタは、これらの３つのＬＥＤセットから必要な最大の電圧にしたがって選ばれ、それにより入力電圧ＶＩに比較的幅広い動作範囲を与えるのに適した定格出力電圧３１４を提供し、それによりある程度の許容度を提供する。このようにして、電圧を上昇・下降する駆動動作をする上で、絶縁性と安全性を十分に保った上で、より高い効率を得ることができる。
【００３５】
図３で示すように、バックライトモジュール３００はさらにもう１つのＬＥＤセットを有する図２のバックライトモジュール２００と類似している。ＬＥＤセットを駆動する方法、制御方法、ループの各々を駆動する回路保護方法については、図２と同じであり、したがって、ここで繰り返して説明しない。
【００３６】
たとえば、より多くのＬＥＤセットが、バックライトモジュール３００で必要である場合、この技術で通常の知識を有するものは、上記の実施の形態の説明に従って設計を容易に考えつくことも考えられるが、それも本発明の範囲内として解釈される。
【００３７】
赤、緑、青の色を含むＬＥＤセット２２２、２３２、３４２の回路要素の構成は、赤、緑、青の色を含むＬＥＤセット１１３、１２３、１３３の回路要素の構成と比較することができ、その比較は、以下の通りにすることができる。
【００３８】
第１に、コントローラの数に関して、従来の技術ではコントローラ１１７を３つ必要とする一方で、この実施の形態では、スイッチの全てを制御して、全てのループを検出するために、コントローラ３１２を１つだけ必要とする。
【００３９】
第２に、インダクタの数に関して、従来の技術では３つのインダクタ１１１、１２１、１３１を必要とする一方で、この実施の形態では、１つのインダクタ３１１だけを必要とする。
【００４０】
最後に、メインスイッチの数に関して、従来の技術は３つのメインスイッチを必要とする一方で、この実施の形態では、１つのメインスイッチ２１３だけを必要とする。
【００４１】
したがって、ＬＥＤドライバによって占められる回路の領域は減り、回路要素をより能率的に配置することができ、そして、回路基板配置の複雑さを簡略化することができる。このように、本発明のＬＥＤドライバの適用を、増やすことができる。
【００４２】
すなわち本発明の上記の実施例では、本発明のＬＥＤドライバには、実際的な必要性にしたがって、２つ以上のＬＥＤセットを制御することができるという利点がある。白または多色のバックライト光源を駆動する。また、プログラムでＬＥＤセットを駆動するコントローラを設計する。また、過負荷保護機能を含む。ＬＥＤの電流を調節する。メインスイッチと他のスイッチを高速でシフトする。２以上の直列接続されたＬＥＤを駆動する。そして、過大な電圧を検出する。このように、例えば、ＬＥＤドライバのためにあまりに多くの回路要素を必要としていたという、従来の技術による不都合を、効果的に除くことができる。
【００４３】
本発明の範囲および考え方から逸脱しない中で、様々な修正および変形を本発明の構造として考えることができることは、この技術をよく理解するものにとって明らかである。上述のように、添付の特許請求の範囲とその均等の範囲内において、本発明では、この発明の修正や変更を含めることを意図している。
【図面の簡単な説明】
【００４４】
【図１】従来の装置の回路図である。
【図２】本発明の実施例によるディスプレイ装置の回路図である。
【図３】本発明の他の実施例によるディスプレイ装置の回路図である。
【符号の説明】
【００４５】
２００、３００  バックライトモジュール
２１０、３１０  ＬＥＤドライバ
２１１、３１１  インダクタ
２１２、３１２  コントローラ
２１３  メインスイッチ
２１４、３１４  出力電圧
２２１、２３１、３４１  スイッチ
２２２、２３２、３４２  ＬＥＤセット
２２３、２３３、３４３  電圧安定化回路
２２４、２３４、３４４  フィードバック回路  
２２５、２３５  ループ電圧
【図１】
2008118089.tif 000003
【図２】
2008118089.tif 000004
【図３】
2008118089.tif 000005